(57)【要約】【課題】使用の便宜性及び経済性を備えた、尿道挿入用カテーテルの保管容器を提供する。【解決手段】  本発明の尿道挿入用カテーテルの保管容器は、円筒状で構成される小直径の収容管１１０、１１２と、前記収容管１１０の両端にそれぞれ延長される上部容器１０４及び下部容器１０６と、上部容器１０４の上端部を密閉させる栓１３２と、上部容器１０４と前記収容管１１０の連結部に斜めに形成されてカテーテル１３８のヘッド部がかかるようになる係止部１１４と、を有する。【選択図】図４
2011139881.tif 000002
【特許請求の範囲】
【請求項１】
尿道に挿入されるカテーテルを保管するための保管容器において、
円筒状で構成される小直径の収容管と、
収容管の両端にそれぞれ延長される上部容器及び下部容器と、
前記上部容器の上端部を密閉させる栓と、
前記上部容器と前記収容管の連結部に斜めに形成されて前記カテーテルのヘッド部がかかるようになる係止部と、
を備える、尿道挿入用カテーテルの保管容器。
【請求項２】
前記上部容器及び下部容器は、収容管より大きい直径を有する、請求項１に記載の尿道挿入用カテーテルの保管容器。
【請求項３】
前記上部容器の外周縁をくるむように結合されるリーブと、
リーブの外周縁から横方向に延長される支持台と、
前記支持台の端部に構成されて前記収容管が結合されるホルダーからなるハンガーと、
をさらに備える、請求項１または２に記載の尿道挿入用カテーテルの保管容器。
【請求項４】
前記栓は、当該栓の外周縁に一定間隔で外側に突き出された突起が形成される、請求項１〜３のいずれか１項に記載の尿道挿入用カテーテルの保管容器。
【請求項５】
前記収容管の中央にはコルゲートパイプが形成される、請求項１〜４のいずれか１項に記載の尿道挿入用カテーテルの保管容器。
【請求項６】
前記支持台は、当該支持台の中央に延長ピンが形成されており、
前記ハンガーは、前記延長ピンに対して遊動可能に結合される係止フックをさらに備える、請求項３に記載の尿道挿入用カテーテルの保管容器。
【請求項７】
前記ホルダーは、下部容器の外周面にそれぞれ形成される遊動防止突起の間に挟む方式で結合される、請求項３または６に記載の尿道挿入用カテーテルの保管容器。
【発明の詳細な説明】
【技術分野】
【０００１】
本発明は、尿道挿入用カテーテルの保管容器に関する。より詳細には、尿道挿入用カテーテルを保管するための保管容器の構造を改善し、使用の便宜性を高めて優れた経済性を図るようにした尿道挿入用カテーテルの保管容器に関する。
【背景技術】
【０００２】
周知のように、カテーテルはフレキシブル（Ｆｌｅｘｉｂｌｅ）な微細管として尿道に挿入される管である。この時、尿道に挿入されるカテーテルの場合は排尿障害を有する患者の尿道に挿入されて小便を外部に排出させる機能を遂行するものであり、状況によって身体から離脱させて薬物で消毒したり、身体の外部で保管したりする場合がある。
【０００３】
したがって、このようなカテーテルの消毒や保管のための別途の保管容器が開発されている。
【０００４】
図１は従来の技術による尿道挿入用カテーテルの保管容器の外形を示す斜視図で、図２は従来の技術による尿道挿入用カテーテルの保管容器の保管状態を示す斜視図である。
【０００５】
この図面を参照すれば、従来の技術による尿道挿入用カテーテルの保管容器２は長形の管の形態に形成され、一端が閉鎖されて内部にカテーテル３０を保管することができる容器部４が構成されており、前記容器部４は中央のコルゲートパイプ１０を基準として上部容器６と下部容器８とでそれぞれ構成される。コルゲートパイプ１０は上部容器６と下部容器８を折って容易に携帯及び保管するための手段である。
【０００６】
前記上部容器６の上部の外周縁の所定部には上部容器６の外周縁に結合された上部リーブ１２が構成されて、その上部リーブ１２の一側には垂直方向に結合孔１４が形成されてハンガー２０の一端が結合されるように構成される。
【０００７】
前記ハンガー２０はその一端に前記結合孔１４からの離脱を防ぐための突起２２が形成されており、その中央部は折り曲げられて薬物支持台（不図示）のフック（不図示）にかかるようにする係止部２４が形成され、その係止部２４の他端には挿入部２６が延長されるように構成される。
【０００８】
前記下部容器８の下部の外周縁の所定部には下部容器８の外周縁に結合された下部リーブ１６が構成され、その下部リーブ１６は一側に垂直方向に挿入孔１８が形成されて挿入部２６の端部が結合されるように構成される。
【０００９】
上部容器６の端部は開放されており、その開放された入口を通じてカテーテル３０を内部に収容することができ、開放された端部を密閉させるために上部容器６に結合される栓２８が構成されている。栓２８はその外周縁が多角面２８ａで形成される。
【００１０】
また、栓２８はその下面に下方に突き出された結合突部（不図示）が構成されてその結合突部をカテーテル３０の上端に挟むことによって、今後カテーテル３０を容器部４から容易に取り出すことができるように構成される。
【００１１】
このような従来の技術による尿道挿入用カテーテルの保管容器２はカテーテル３０の消毒が必要な時に前記容器部４の内部に消毒薬物を注入した後、カテーテル３０をその容器部４内に挿入して栓２８で蜜閉してカテーテル３０を保管したり消毒したりすることができる。
【発明の概要】
【発明が解決しようとする課題】
【００１２】
しかし、従来の技術による尿道挿入用カテーテルの保管容器２は前記容器部４に保管されたカテーテル３０を引き出そうとする時、栓２８を開放すると栓２８の下端に構成された結合突部にカテーテル３０が挟まれた状態で栓２８とともにカテーテル３０が引き出されるようになるが、この時頻繁に栓２８の結合突部とカテーテル３０とが分離される。一度栓２８とカテーテル３０が分離されると、汚染の憂慮のため指や他の物でカテーテル３０をつまみだすことができないので内部にカテーテル３０とともに収容された消毒薬の一部を捨てる方法によってカテーテル３０を外部に引き出すが、この場合高価の消毒薬が必要となるという問題点があった。
【００１３】
また、従来では前記上部容器６と下部容器８の直径が大き過ぎてカテーテル３０を消毒するための消毒薬の注入量が多くなるという問題があった。特に消毒薬は数回にかけて新しく容器内に注入しなければならないので、多くの費用がかかってしまっていた。
【００１４】
一方、前記ハンガー２０はその一端が上部リーブ１２に遊動的に結合された状態で、他端は前記下部リーブ１６の挿入孔１８に挿入される動作によって、上部リーブ１２と下部リーブ１６とに同時結合された状態で携帯して移動するようになるが、従来の発明では図２に示したように上部リーブ１２の結合孔１４と下部リーブ１６の挿入孔１８が相互に面する状態でリーブの位置を調節してから結合が可能なので使用が煩わしい。
【００１５】
すなわち、従来の技術による尿道挿入用カテーテルの保管容器２は係止部２４にフック３２をかけるようになっても片方に傾くので消毒薬の漏出を防止するために前記栓２８と上部容器６の間のパッキング構造をもっと堅固に製作しなければならないという欠点があった。
【００１６】
また、前記ハンガー２０は上下に遊動されてその他端の挿入部２６が下部リーブ１６の挿入孔１８に挿入されて携帯したりかけておくが、この際挿入孔１８に対して挿入部２６が緩く結合されるので、容器部４を引っぱればその結合状態が解除されやすいという問題があった。すなわち、便利な携帯のために製作したのに結合が解除されやすくて返って携帯が不便になるという問題点があった。
【００１７】
特に、衣服のポケットに入れておいた状態で移動中急にハンガー２０と容器部４の間の結合が解除されて上部容器６と下部容器８が一字の形態でのびてしまえばむしろ携帯が不便になったり瞬間的に挙動が不便になったりするという問題点があった。
【００１８】
なお、従来には薬物掛け用の支持台のフック３２や壁に打たれた釘などにハンガー２０をかけておいた状態で容器部４にねじり力を発生させれば同じく結合が解除されて折れた容器部４がのびやすくなるという問題点があった。
【００１９】
そこで、本発明は上記課題に鑑みてなされたものであり、本発明の目的とするところは、上部容器と下部容器を端部側にだけそれぞれ形成して、中央のコルゲートパイプの両側にそれぞれ上部容器と下部容器に延長される小直径の収容管を形成して注入される薬物の量を減少させることができて、上部容器と収容管が繋がれる部位に斜めの係止部を形成してその内部に保管されるカテーテルが栓から離脱されても容器の入口部周りにかかってそれ以上下方に落ちないようにして、挿入方式ではなく挟む方式のハンガー構造で形成されて折れた容器がのびにくくして、係止フックが自由に回転されながら中心を維持するようにしたことによって、使用の便宜性及び経済性を揃えた尿道挿入用カテーテルの保管容器を提供することにある。
【課題を解決するための手段】
【００２０】
上記課題を解決するために、本発明のある観点によれば、尿道に挿入されるカテーテルを保管するための保管容器において、中央に構成されて伸縮自在に折り曲げられるコルゲートパイプと；そのコルゲートパイプの両端に延長される小直径の収容管と；収容管の両端にそれぞれ延長される上部容器及び下部容器と；前記上部容器の上端を密閉させる栓と；上部容器と収容管の連結部に斜めに形成されてカテーテルのヘッド部がかかるようになっている係止部を含む尿道挿入用カテーテルの保管容器が提供される。
【００２１】
ここで、前記上部容器及び下部容器は収容管より大きい直径を有してもよい。
【００２２】
また、前記上部容器の外周縁をくるむように結合されるリーブと；リーブの外周縁から横方向に延長される支持台と；前記支持台の端部に構成されて収容管が結合されるホルダーからなるハンガーがさらに含まれてもよい。
【００２３】
また、前記栓はその外周縁に一定間隔で突起が外側に突き出されてもよい。
【００２４】
また、前記支持台はその中央に延長ピンが形成されて、その延長ピンに対して遊動可能に結合される掛止フックがハンガーにさらに含まれてもよい。
【００２５】
また、前記ホルダーは下部容器の外周面に挟む方式で結合されるものであってもよい。
【発明の効果】
【００２６】
以上に説明したように本発明によれば、容器部のほとんどが小直径の収容管からなっているので、要される薬液の量が少なく、カテーテルが栓から分離しても上部容器と収容管につながる部分に直径の差による係止部が形成されていて上の係止部にかかってカテーテルが容器部の内側深く下降することなく抜き取りやすいという長所があり、複数のリブーを結合しなくても簡単に容器を折って挟む方式で安定的に結合させることができるので結合と解除が迅速であり、容器の真中がぶら下げられるようになるので安定であるという長所がある。
【図面の簡単な説明】
【００２７】
【図１】従来技術に係る尿道挿入用カテーテルの保管容器の外形を示す斜視図である。
【図２】従来技術に係る尿道挿入用カテーテルの保管容器の保管状態を示す斜視図である。
【図３】本発明の一実施形態に係る尿道挿入用カテーテルの保管容器の外形を示す斜視図である。
【図４】本発明の一実施形態に係る尿道挿入用カテーテルの保管容器の保管状態を示す斜視図である。
【発明を実施するための形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
図３は本発明の一実施形態に係る尿道挿入用カテーテルの保管容器の外形を示す斜視図であり、図４は本発明の一実施形態に係る尿道挿入用カテーテルの保管容器の保管状態を示す斜視図である。
【００３０】
これらの図面を参照すれば、本発明の一実施形態に係る尿道挿入用カテーテルの保管容器１００は上部容器と下部容器を端部側にだけそれぞれ形成して、中央コルゲートパイプの両側にそれぞれ上部容器と下部容器に延長される小直径の収容管を形成して注入される薬物の量を減少させることができるようにし、上部容器と収容管が繋がれる部分に斜めの係止部を形成して内部に保管されたカテーテルが栓から離脱されても容器の入口部の周りにかかってそれ以上下方に落ちないようにして、挿入方式ではなく挟む方式のハンガー構造で形成して折れた容器がのびにくいようにして、係止フックが自由に回転されながら中心を維持するようにすることで使用の便宜性と経済性を揃えた容器である。
【００３１】
より詳細には、本発明の一実施形態に係る尿道挿入用カテーテルの保管容器１００は従来の尿道挿入用カテーテルの保管容器２と同じく内部に尿道挿入用カテーテル１３８を保管するための保管容器であり、半分に折られるように構成されて携帯が便利である。
【００３２】
したがって、本発明の一実施形態に係る尿道挿入用カテーテルの保管容器１００もその容器部１０２の中央に伸縮自在に折り曲げられるコルゲートパイプ１０８を備えることが好ましく、そのコルゲートパイプ１０８の両端に延長される小直径の収容管１１０、１１２をそれぞれ備えることが好ましいが、必ずしもコルゲートパイプ１０８が形成されることに限定するのではない。
【００３３】
小直径の収容管１１０、１１２は既存の容器部の直径に比べて狭小に構成されるので容器部１０２に満たされなければならない薬物の量を減らすことができる。
【００３４】
前記収容管１１０、１１２の両端にそれぞれ延長されて、前記収容管１１０、１１２の直径より長い直径を有する上部容器１０４及び下部容器１０６が構成されて、上部容器１０４及び下部容器１０６の長さは前記収容管１１０、１１２の長さより短く、特に前記上部容器１０４は前記収容管１１０との直径の差によって内部に収容されたカテーテル１３８が栓１３２と分離しても収容管１１０にかかるように構成される。
【００３５】
このために、本発明は前記上部容器１０４と収容管１１０の連結部分が斜めに形成されてカテーテル１３８のヘッド部（不図示）がかかるようになる係止部１１４が備えられている。
【００３６】
また、前記上部容器１０４の上端にはその上端の入口部を密閉させる栓１３２が構成されて、前記容器部１０２の内部には消毒用薬液が入るようになるので内部の薬液が外部に流出されないように上部容器１０４に栓１３２が強く密閉されるようにした構成である。
【００３７】
したがって、本発明に構成された栓１３２は使用者が容易に開閉することができるようにその外周縁１３４に沿って一定間隔で突起１３６が形成されている。また前記栓１３２はその下面にカテーテル１３８のヘッド部（不図示）と結合されてカテーテル１３８を容器部１０２の内部にぶら下げられるようにする結合突部（不図示）が構成される。
【００３８】
また、本発明の一実施形態に係る尿道挿入用カテーテルの保管容器１００も病室に具備された薬液桶のハンガー（不図示）にかけたり、または壁掛けやくぎ等にかけたりするハンガー１２０が構成されて、前記ハンガー１２０は尿道挿入用カテーテルの保管容器１００が傾くことなく上部容器１０４に対して下部容器１０６が容易に結合できるように構成される。
【００３９】
このために、本発明は前記上部容器１０４の外周縁にはその外周縁をくるむようにリーブ１２２が結合されていて、リーブ１２２の外周縁の所定部から横方向に延長される支持台１２４が形成されて、前記支持台１２４の端部には下部容器１０６が結合されるホルダー１２６が構成される。
【００４０】
前記ホルダー１２６は下部容器１０６の外周面に形成された遊動防止突起１０６ａの間に挟む方式で結合することができるように、その外周縁が一部切開された切開部１２６ａが形成されている。
【００４１】
したがって、本発明の一実施形態に係る尿道挿入用カテーテルの保管容器によれば、使用者が前記上部容器１０４を一手で把持した状態で他の手で下部容器１０６を折るとコルゲートパイプ１０８の部分が折れながら前記下部容器１０６が上部容器１０４と一直線に移動されて、使用者は下部容器１０６の上端に延長された収容管１１２を前記下部容器１０６の遊動防止突起１０６ａの間に挟む方式で挟みこんで簡単に結合させることができる。
【００４２】
この場合、従来の発明のようにリーブを挿入段に合わせて調節する必要がなく、別途の下部リーブを容器に挟む必要がないので便宜性が高くて経済的である。
【００４３】
一方、本発明の一実施形態に係る尿道挿入用カテーテルの保管容器では、前記支持台１２４はその中央に延長ピン１２８が形成されて、その延長ピン１２８に対して遊動可能に結合される係止フック１３０が構成される。前記係止フック１３０はくぎやその他のハンガーフック（図２参照：３２）にかかるようになるが、その係止フック１３０は支持台１２４の中央に形成された延長ピン１２８に対して遊動可能に結合されるので尿道挿入用カテーテルの保管容器１００が一方に傾くことなくぶら下げられることができて、前記係止フック１３０が延長ピン１２８に対して遊動可能なので外部衝撃にもハンガーフック３２から離脱されにくく安定的にぶら下げられることができる。
【００４４】
上記の構成の本発明の一実施形態による尿道挿入用カテーテルの保管容器の機能と作用を添付された図面を参照して詳細に説明する。
【００４５】
本発明の一実施形態による尿道挿入用カテーテルの保管容器１００は尿道に挿入されるカテーテル１３８を随時に消毒して消毒中に保管できるようにした容器であり、空いている容器部１０２にカテーテル１３８を保管するためには栓１３２を上部容器１０４から開放させる。
【００４６】
そして、容器部１０２の内部に薬液を満たすが、容器部１０２のほとんどは小直径の収容管１１０、１１２からなっているので満たされる薬液の量が非常に少ない。
【００４７】
栓１３２が開放されればその栓１３２の下面に延長された結合突部（不図示）にカテーテル１３８のヘッド部を挟みこむ。ヘッド部を結合突部に挟みこむと栓１３２の下面にカテーテル１３８がぶら下げられた状態になるのでカテーテル１３８の下部から容器部１０２で挿入して栓１３２を回して密閉させればカテーテル１３８の収容が完了する。
【００４８】
カテーテル１３８の収容が完了すれば、使用者は前記上部容器１０４を一手で把持した状態で他の手で下部容器１０６を折るとコルゲートパイプ１０８の部分が折れながら前記下部容器１０６が上部容器１０４と一直線に移動されて使用者は下部容器１０６の外周面に形成された遊動防止突起１０６ａの間にホルダー１２６の切開部１２６ａを挟む方式で挟みこんで簡単に結合させることができる。
【００４９】
この状態で容器部１０２を半分に折った後には前記係止フック１３０を各種支持台に構成されたハンガーフック３２などにかける。この時、係止フック１３０は支持台１２４の中央に形成された延長ピン１２８に遊動可能に結合されるので尿道挿入用カテーテルの保管容器１００が傾くことなくぶら下げることができるようになり、前記係止フック１３０が延長ピン１２８に対して遊動可能なので外部の衝撃にもハンガーフック３２から離脱されにくくなり安定的にぶら下げることができる。
【００５０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５１】
１００    尿道挿入用カテーテルの保管容器
１０２    容器部
１０４    上部容器
１０６    下部容器
１０８    コルゲートパイプ
１１０、１１２    収容管
１１４    係止部
１２０    ハンガー
１２４    支持台
１２６    ホルダー
１２８    延長ピン
１３０    係止フック
１３２    栓
１３６    突起
１３８    カテーテル
【図１】
2011139881.tif 000003
【図２】
2011139881.tif 000004
【図３】
2011139881.tif 000005
【図４】
2011139881.tif 000006